Podtech/llm-jp-corpus-v4-ja_patent huggingface dataset:
(57)【要約】【課題】  従来の種々の展示体（壁面／卓上用展示品／用具）は一体化不変構造体であり、通常、絵画、記念写真などの展示品を長期保存し、固定展示するための用具はあるが、近年、増大する種々の情報カ−ド、電子表示パネル、特殊効果（立体、音声、光反射他）印刷物／成型品などの新たな多様に変化する用途に適当でなく対応できない。【解決手段】  所要数の起立部を有し、起立部に機械結合手段および／または磁気結合手段を備え、展示体を交換組合自在に結合して一体的展示構成体とする展示用支持体。【選択図】  図３
2007319526.tif 000002
【特許請求の範囲】
【請求項１】
所要数の起立部を有し、起立部に機械結合手段および／または磁気結合手段を備え、展示体を交換組合自在に結合して一体的展示構成体とする展示用支持体。
【請求項２】
所要数の起立部が固定角および／または可変角に設定できることを特徴とする請求項１記載の展示用支持体
【発明の詳細な説明】
【技術分野】
【０００１】
本発明は、簡易に交換組合展示をするための展示用支持体に関する。
【背景技術】
【０００２】
従来、特定寸法の絵画用額縁や写真用フレ−ム／スタンドなど種々の展示体（壁面／卓上用展示品／用具）がある。
【発明の開示】
【発明が解決しようとする課題】
【０００３】
従来の種々の展示体（壁面／卓上用展示品／用具）は一体化不変構造体であり、通常、絵画、記念写真などの展示品を長期保存し、固定展示するための用具はあるが、近年、増大する種々の情報カ−ド、電子表示パネル、特殊効果（立体、音声、光反射他）印刷物／成型品などの新たな多様に変化する用途に適当でなく対応できないという問題がある。
【課題を解決するための手段】
【０００４】
請求項１記載の本発明は、所要数の起立部を有し、起立部に機械結合手段および／または磁気結合手段を備え、展示体を交換組合自在に結合して一体的展示構成体とする展示用支持体に関するものである。
請求項２記載の本発明は、所要数の起立部が固定角および／または可変角に設定できることを特徴とする請求項１記載の展示用支持体に関するものである。
【発明の効果】
【０００５】
本発明は上記のような構成としたものなので、種々の情報カ−ド、電子表示パネル、特殊効果印刷物／成型品などの展示体（展示品／用具）を起立部の機械結合手段および／または磁気結合手段により交換組合自在に支持体に結合して一体的展示構成体とし、簡易、迅速に保持展示することができる。また、複数の関連展示体を安定な対向組合構成体として相乗効果的な展示も可能となる。さらに、支持体を最適傾斜角に調整して展示体を保持し、特有な光学的（ホログラム、偏光等）視覚効果を高めることができる。
【発明を実施するための最良の形態】
【０００６】
以下、本発明の実施の形態について、図面を参照しながら説明する。なお、このような実施の形態によって、本発明が限定されるものではない。
図１は展示用支持体Ｓの平面図であり、支持体Ｓは適当な板材、例えば、合成樹脂ＰＥＴ板から成り、折曲線／ヒンジ加工した所要数の起立線Ｈ１、Ｈ２、Ｈ３を適当間隔に形成し、線区分された基部１、起立部２、３、４を有する。各起立部は機械結合手段Ｋおよび／または磁気結合手段Ｊとして使用される。例えば、起立部２自体は機械結合のため使用され、起立部４は磁気結合手段Ｊとして着磁板（磁性板）Ｍ１を備え、さらに、必要ならば、機械結合のため面ファスナ−Ｆ１を並設してもよい。また、基部１に固定溝５を形成して、起立部４の右側辺を嵌入し三角形固定できるようにしてもよい。
図２は支持体Ｓの側面図であり、起立線Ｈ１〜Ｈ３の折曲線／ヒンジ加工側面を示す。
【実施例１】
【０００７】
図３は支持体Ｓの展示構成体の側面図であり、支持体Ｓの起立部２を折曲線加工起立線Ｈ１により固定角Ｘに傾斜させ、展示体Ｄ１、例えば、クリアケ−スの適当に形成した結合溝Ｃ１に挿入し、両体を機械結合させて、Ｄ１Ｘ傾斜展示構成体とする。他方、起立部３と４をヒンジ加工起立線Ｈ２により適度な傾斜の可変角Ｙに起立させ、展示体Ｄ２、例えば、全体または結合部Ｍ２が磁性体からなる成型品、例えば、案内板、立体プラモデルなどを着磁部Ｍ１に磁気結合させてＤ２Ｙ傾斜展示構成体とする。このようにしてＤ１Ｄ２対向配置の安定した展示構成体として、交換組合自在に関連展示効果が得られる。ここで展示体Ｄ１、Ｄ２は、各々単独に展示できることは勿論である。
【実施例２】
【０００８】
図４は支持体Ｓの他展示構成体の側面図であり、ヒンジ加工した起立線Ｈ１、Ｈ２、Ｈ３により起立部２、３、４を、各々、適当傾斜角に設定する。軽量成型品、例えば、写真フレ−ム、ミニキャラクタなどの展示体Ｄ３は磁性体からなる結合部Ｍ３および／または面ファスナ−Ｆ２を備え、支持体Ｓに着磁部Ｍ１および／またはＦ１により磁気結合および／または機械結合させて中間保持する展示構成体として、空中浮遊展示効果が得られる。
【実施例３】
【０００９】
図５は支持体Ｓの別展示構成体の側面図であり、支持体Ｓの起立部２、３、４を各々適当傾斜角で起立させ、起立部４の右側辺を基部１に設けた固定溝５に嵌入して、所定の固定角Ｚ三角形に固定し、展示体Ｄ４、例えば、電子表示パネルなどを対面起立部２と４で形成される結合溝Ｃ２に安定に傾斜保持する展示構成体として、変動展示効果が得られる。ここで電力／信号ケ−ブルまたは照明用の接続部６は適当に配置すればよい。
上記のように、異なる種々の展示体Ｄ１〜Ｄ４と展示用支持体Ｓを、機械結合手段Ｋおよび／または磁気結合手段Ｊにより簡便、迅速に交換組合自在に結合して最適展示構成体として多様で訴求的な展示効果が得られる。また、展示体と支持体は各構成部材として修理、保管、管理が容易となり経済的であり、実用的便益は大である。
【図面の簡単な説明】
【００１０】
【図１】展示用支持体の平面図。
【図２】同展示用支持体の側面図。
【図３】実施例１の展示構成体の側面図。
【図４】実施例２の展示構成体の側面図。
【図５】実施例３の展示構成体の側面図。
【符号の説明】
【００１１】
Ｊ：磁気結合手段
Ｋ：機械結合手段
Ｓ：展示用支持体
Ｘ：固定角
Ｙ：可変角
Ｚ：固定角
Ｃ１：結合溝
Ｃ２：結合溝
Ｄ１：展示体
Ｄ２：展示体
Ｄ３：展示体
Ｄ４：展示体
Ｆ１：面ファスナ−
Ｆ２：面ファスナ−
Ｍ１：着磁部
Ｍ２：結合部
Ｍ３：結合部
Ｈ１：起立線
Ｈ２：起立線
Ｈ３：起立線
１：基部
２：起立部
３：起立部
４：起立部
５：固定溝
６：接続部
【図１】
2007319526.tif 000003
【図２】
2007319526.tif 000004
【図３】
2007319526.tif 000005
【図４】
2007319526.tif 000006
【図５】
2007319526.tif 000007
(57)【要約】【課題】従来の一般的な歯ブラシでローリング法によって歯みがきを行なうとき、毛先を歯に押え付ける力は、柄がしなうことにより、逃げてしまい、一定の力で押え続けて、ブラッシングすることは困難であった。また、毛が太くて固いとその反発力により柄のしなうことが重なり、歯ブラシの柄全体の弾力をうまく利用することができなかった。本発明は、不用な弾力を除き、有効な弾力を導びき出すことを、めざした。【解決手段】図１のように、従来の一般的な歯ブラシの柄部を植毛部上面に対して、９０°回転した形にして、ブラシを歯にあてがう力が逃げないようにした。さらに毛自体を細くして、反発力を弱めた。そして、図２のように、柄の厚みを、植毛部側から、柄後部側へかけて、一定の割合で増してゆくようにして、図３のように柄全体の弾力を利用してブラッシングすることを可能にした。【選択図】図２
2007319656.tif 000002
【特許請求の範囲】
【請求項１】
（イ）従来の一般的な歯ブラシの柄部を、植毛部に対して９０°回転した形にする。
（ロ）歯ブラシ全体の厚みを植毛部側から、柄後部側へ一定の割合で増すようにする。
（ハ）植毛部の毛を細くやわらかめにする。
以上のように組み合わせて形成する。
【発明の詳細な説明】
【技術分野】
【０００１】本発明は、歯垢をすばやく良く落とすために、一般的歯ブラシの柄部と植毛部の位置関係を９０°回転した形とし、柄部を植毛部側から柄後部側へかけて一定の比率で厚みを増すようにし、なおかつ毛自体を細くやわらかめになるように形成したものである。
【背景技術】
【０００２】従来の多くの歯ブラシは、柄部の広い方の面が植毛部上面に対して垂平な位置関係となっており、その形状から、縦方向の弾力を利用したものは多かったが、その反対方向の横方向の弾力を有効に利用したものは無かった。【０００３】
【特許文献】公開実用新案公報（Ｕ）平２−１３４０２３  識別記号Ｂ  庁内整理番号  ８２０６−３Ｂ
【発明の開示】
【発明が解決しようとする課題】
【０００４】従来の一般的歯ブラシで、ローリング法で、歯を磨こうとする際、ある一定の力で歯に毛先をあてがい、歯ブラシを上下に動かして使用すると、毛が硬いほど毛先を歯に押え付ける方向の力が柄の縦方向の弾力により吸収されて逃げてしまっていた。そのため一定の圧力で歯に押え付けて磨こうとすると、逃げた力を補うため、さらに強く押さえ続けなければならず、そのようにすると、歯垢はとれにくく、とるのに時間が、かかった。本発明は、この課題を解消するためになされたものである。
【課題を解決するための手段】
【０００５】本発明は、毛先を歯に押え付ける縦方向の力が逃げないようにするため、図１のように、従来の一般的な歯ブラシの柄部を植毛部に対して、９０°回転した形にした。そして、毛自体を細くやわらかくすることによって、その反発力を弱めた。なぜかとういうと、毛自体が太くて硬いと、その反発力により、柄に、歯に押え付ける、縦方向の邪魔な弾力、図１の２が、働いてしまうからである。
それから、柄全体の横方向の弾力、図２の３を有効に利用するため、図２のように植毛部側から、柄後部側へかけて、柄の厚みを一定の割合で増してゆくように形成して、有効な弾力を導びいた。
【発明の効果】
【０００６】本発明の歯ブラシで「上の歯は上から下へ、下の歯は下から上へ。」というローリング法を行なうなら、図３のように、ブラシを一定の力で歯面に押え付けることができ、横方向の柄全体の弾力、図３の４が有効に働く。ゆえに、従来より軽い力で歯ブラシを操作することにより、従来よりすばやく、良く、歯垢を落とすことができるようになった。かつ、毛自体が細いので歯のすみずみまでとどき、歯ぐきを傷付けることもない。
【実施例１】
【０００７】
【図面の簡単な説明】
【０００８】
【図１】  本発明の正面図である。
【図２】  本発明の平面図である。
【図３】  本発明の使用状態を示す図である。
【符号の説明】
【０００９】１．細くやわらかめにした植毛部
２．抑えられた縦方向の邪魔な弾力
３．強められた横方向の有効な弾力
４．歯ブラシがしなって横方向に有効な弾力が働いた状態
５．歯ブラシの復元後の状態
【図１】
2007319656.tif 000003
【図３】
2007319656.tif 000004
【手続補正書】
【提出日】平成18年8月4日(2006.8.4)
【手続補正１】
【補正対象書類名】図面
【補正対象項目名】全図
【補正方法】変更
【補正の内容】
【図１】
2007319656.tif 000005
【図２】
2007319656.tif 000006
【図３】
2007319656.tif 000007
(57)【要約】【課題】  従来の横臥用枕では、肩への負担をなくすことができず、また、体の安定も得ることができない、塾睡してしまえば仰臥の状態に戻ってしまうという問題を解決し快眠を可能にすること。【解決手段】  長方形の枕の両脇に細長い背当枕を直角に付けたものである。背当枕の左右の間隔は肩幅が余裕をもって入る幅、背当枕は外側が高く、内側は低く、内側に傾斜しており、この背当枕を設けて構成した。これにより、使用者は横臥時の肩への負担をなくし、体の安定を得ることができる。【選択図】図１
2007319654.tif 000002
【特許請求の範囲】
【請求項１】
長方形の枕の両脇に、細長い背当枕を直角に付ける。型としては、角に近い逆Ｕ字型をしている。背当枕は、長さ１０センチ以上、幅２０センチ以上厚さは外側４センチ以上、内側１センチ以上、外側が高く、内側は低く内側に傾斜している。背当枕の左右の間隔は肩幅が余裕を持って入る幅で、長方形の枕に背当枕を設けたことを特徴とする、背当枕付き枕。
【請求項２】
背当枕の、着脱を可能にしたことを特徴とする、請求項１記載の背当枕付き枕。
【請求項３】
上記枕の着脱手段が、面ファスナー、チャック、枕カバー、紐、クリップ、ボタンとボタン孔、ホックのうちの少なくとも一つにより構成され、上記の長方形の枕と背当枕の着脱を自在にしたことを特徴とする、請求項１〜２のいずれかに記載の背当枕付き枕。
【請求項４】
材質は柔軟材料製で、洗える材質ならば更により良いことを特徴とする、請求項１〜３のいずれかに記載の背当枕付き枕。
【発明の詳細な説明】
【技術の分野】
【０００１】  本発明は、横臥時の肩への負担、体の安定、いびき、咳、無呼吸症候群等、睡眠時の問題の改善を図った、背当枕付き枕に関する。
【背景技術】
【０００２】  従来の寝具枕の横臥用の枕には、形及び高さを変えたものがある。（例えば、特許文献１，又は、特許文献２参照）
【特許文献１】  特開平１０−２８６３５号      公報
【特許文献２】  特開平１１−１１３７０５号    公報
【発明の開示】
【発明が解決しようとする課題】
【０００３】  以上に述べた従来の横臥用の枕、また、市販されている横臥用枕では、肩への負担をなくすことができず、体の安定も得ることができない、塾睡してしまえば仰臥の状態に戻ってしまう枕である。【０００４】  本発明は、このような従来の構成が有していた問題を解決しようとするものであり、横臥時の肩への負担をなくし、体の安定を求め、快眠を可能とすることを目的とするものである。
【課題を解決するための手段】
【０００５】  そして、本発明は上記目的を達成するために長方形の枕の両脇に細長い背当枕を直角に付けたものである。背当枕の左右の間隔は、肩幅が余裕を持って入る幅で、背当枕は外側が高く、内側は低く、内側に傾斜しており、この背当枕を設けて構成した。
【発明の効果】
【０００６】  上述したように、本発明の背当枕付き枕は、背当枕に上半身を左半分程又は右半分程を乗せることにより、頭と体が斜めになるがこの傾斜で横臥時の肩への負担をなくし体は非常に安定して、気持ちよく寝ることができる。なお、真横向きでなくとも頭と体を斜めにする事で、いびき、咳、無呼吸症候群等、睡眠時の問題を解決できる。
【発明の実施するための最良の形態】
【０００７】  長方形の枕の両脇に細長い背当枕を直角に付ける。形は角にちかい逆Ｕ字型をしている。背当枕は長さ１０センチ以上、長い方が効果的である。幅は２０センチ以上、厚さは外側が４センチ以上、内側は１センチ以上で、外側が高く内側は低く内側に傾斜している。背当枕の左右の間隔は肩幅が余裕を持って入る幅が良い。
【０００８】  以下、本発明の実施の形態を、図１〜図３に基づき説明する。
【０００９】  図においては、１は長方形の枕、２が背当枕の部分で背当枕は外側が高く、内側は低く内側に傾斜している。
【図面の簡単な説明】
【０００１０】
【図１】  本発明の実施形態を示す背当枕つき枕の斜視図
【図２】  本発明の分解斜視図
【図３】  本発明の使用状態を示す斜視図
【符号の説明】
【０００９】  １    長方形の枕
２    背当枕
【図１】
2007319654.tif 000003
【図２】
2007319654.tif 000004
【図３】
2007319654.tif 000005
(57)【要約】【課題】    長時間の使用にも違和感がなく磁石またはチタン合金とゲルマニュウムによる相乗効果が期待できる肌に直接つける健康増進器具を提供する。【解決手段】    磁石またはチタン合金の上に粉末状のゲルマニュウムを塗布しなおかつその上にウレタンなどの柔らかいものを塗布することによりその相乗効果だけでなく肌触りを良くしたものである。【選択図】図１
2007319651.tif 000002
【特許請求の範囲】
【請求項１】
チタン合金の上に粉末状のゲルマニュウムを塗布しさらにその上にウレタンなどの柔らかい樹脂を塗布した肌に直接つける健康増進器具。
【請求項２】
チタン合金の代わりに磁石を使用した請求項１の健康増進器具。
【発明の詳細な説明】
【技術分野】
【００１】      本発明は肌に直接つける健康増進器具として磁石またはチタン合金の上に粉末状のゲルマニュウムを塗布しさらにその上にウレタンなどの柔らかい樹脂を塗布したものである。
【技術背景】
【００２】      従来のこれらの健康増進器具には磁石またはチタン合金を使用したものやゲルマニュウムを焼結したものがあった。
【発明の開示】
【発明が解決しようとする課題】
【００３】      しかしながらそれらの健康増進器具は長時間の使用には肌に違和感があり心地よくなかった。  また、磁石またはチタン合金とゲルマニュウム両方の効果を一粒で期待できるものはなかった。
【課題を解決するための手段】
【００４】      そこでこの発明は磁石またはチタン合金の上に粉末状のゲルマニュウムを塗布しなおかつその上にウレタンなどの柔らかい樹脂を塗布することによりその相乗効果による効き目を期待できるだけでなく柔らかい樹脂により肌触りを良くしたものである。
【発明の効果】
【００５】      磁石またはチタン合金に粉末状のゲルマニュウムを塗布しなおかつその上にウレタンなどの柔らかい樹脂を塗布することによりその相乗効果による効き目だけでなく肌に付けたときの違和感がなく長時間の使用が快適なものになっている。  また、ウレタンなどの柔らかい樹脂が突起となってつぼを刺激する効果も期待できる。
【発明を実施するための最良の形態】
【００６】      以下、本発明の実施の形態について説明する。
１．磁石もしくはチタン合金を加工して図１のような形にする。
２．その磁石もしくはチタン合金にゲルマニュウムを塗布する。
４．さらにその上にウレタンなどの柔らかい樹脂を塗布する。
【図面の簡単な説明】
【図１】      完成図
【図２】      バラバラにした説明図
【符号の説明】
１．磁石もしくはチタン合金
２．ゲルマニュウムを塗布
３．ウレタンなどの柔らかい樹脂
【図１】
2007319651.tif 000003
【図２】
2007319651.tif 000004
(57)【要約】【課題】  従来の雨具は、別個の１つの荷物になるという問題があった。これは、雨天日に使う型式で雨天日を除く日には必要性がないため常時持ち歩こうとするとかさ張ったり荷物になり使用者に負担をかける。【解決手段】カッパと内袋を日常活用するバッグの内側にコンパクトに収めたことで荷物の負担を感じることなく、カッパも内袋も日常活用のバッグとともに常時携帯でき、尚且つ必要に応じてそれぞれの使い分けができる構成になし、バッグ二つに、またフード付きカッパに瞬時に早変わりさせることができる。【選択図】図１
2007319652.tif 000002
【特許請求の範囲】
【請求項１】
開口を備え、防水性を有するバッグ本体と、
一辺が前記バッグ本体の内部上面に固着され、防水性を有するカッパ部と、
該カッパ部の上部に設けられ、前記バッグ本体の内部と上面と内袋ファスナーにより着脱自在に取り付けられた内袋と、
前記バッグ本体の底部近傍から上端部まで開口させる本体ファスナー部と、を備え、
該内袋ファスナーによって前記バッグ本体と前記内袋が取り出されることにより、前記カッパ部を前記バッグ本体の開口から取り出し可能となり、
前記本体ファスナー部によって前記バッグ本体の上端部から底部近傍まで開口されることにより、前記バッグ本体を頭部を覆う前記カッパ部の一部になることを特徴とする手提げかばん。
【請求項２】
前記バッグ本体の内側にカッパと内袋を重ね収め三重の構造になしたことを特徴とする請求項１に記載の手提げかばん。
【請求項３】
前記三重の構造を、外見の姿形を一重仕立てのバッグに構成したことを特徴とする請求項１に記載の手提げかばん。
【請求項４】
前記バッグ本体の口部にカッパの首部を接ぎ合わせ一体化させたことを特徴とする請求項１に記載の手提げかばん。
【請求項５】
前記バッグ本体の口部と内袋の口部をオープファスナーで連結させたことを特徴とする請求項１に記載の手提げかばん。
【請求項６】
前記バッグ本体と内袋の口近傍に持ち手をつけたことを特徴とする請求項１に記載の手提げかばん。
【請求項７】
前記バッグ本体の口両端近傍に留め具を設けたことを特徴とする請求項１に記載の手提げかばん。
【発明の詳細な説明】
【技術分野】
【０００１】  この発明は雨具に関し、特に、にわか雨に遭遇したとき傘やレインコートの代用を果たす手提げかばんに関する。
【背景技術】
【０００２】  従来の雨具は、レインコートや傘がある。【０００３】  従来の雨具を常時携帯しようとすると、レインコートはかさ張り、傘は荷物になる。
特に傘は重量を伴う一個の荷物になり高齢者や子供には傘の重量が負担になる。【０００４】  実開昭６１−１６７８２３は頭部と首部を覆うものがある。
【発明の開示】
【本発明が解決しようとする課題】
【０００５】  本発明は、このような従来の製品がもたらす問題を解決しょうとするものであり、従来の雨具用のレインコートや傘を常時携帯するとかさ張り荷物になる。
発明はこのような負担を取り除き、バッグ本体の内側にカッパと内袋を重ね収め、外見を一重仕立ての姿に構成し、日常活用のバッグとして用い、カッパと内袋はバッグ本体とともに常時携帯できる雨具を目的とするものである。
【課題を解決するための手段】
【０００６】  そして、本発明は上記の目的を達成するために、開口を備え、防水性を有するバッグ本体と、一辺が前記バッグ本体の内部上面に固着され、防水性を有するカッパ部と、該カッパ部の上部に設けられ、前記バッグ本体の内部上面と内袋ファスナーにより着脱自在に取り付けられた内袋と、前記バッグ本体の底部近傍から上端部まで開口させる本体ファスナー部と、を備え、該内袋ファスナーによって前記バッグ本体と前記内袋が取り外されることにより、前記カッパ部を前記バッグ本体の開口から取り出し可能となり、前記本体ファスナーによって前記バッグ本体の上端部から底部近傍まで開口されることにより、前記バッグ本体を頭部を覆う前記カッパ部の一部になる構造になしたものである。
【０００７】  また、第２の手段による作用は、バッグ本体の口部を内側に折り曲げ、その折り線より下りた所に着脱自在型のファスナーを取り付け、内袋を装着させる。
【０００８】  また、第３の手段による作用は、上記バッグに取り付けたファスナーの位置より下に、カッパの首部を接ぎ合わせバッグ本体とカッパを一体化した状態にさせる。
【０００９】  また、第４の手段による作用は、上記バッグ本体に連結させたカッパと内袋をバッグ本体の内側に重ね収め、外見の姿形を一つのバッグ仕立てにさせる。
【００１０】  上記第１の課題解決による手段による作用は次の通りである。突然にわか雨に出会ったとき、バッグ本体の口部のファスナーを全開し中に収めていた内袋を切り離し、内袋の下に隠れていたカッパを取り出し、バッグ本体の横のファスナーを開けて頭部に被ると瞬時にフード付きカッパに変身する。
【発明の効果】
【００１１】  上記したように本発明の雨具の代用を果たす手提げかばんは、バッグ本体の中にカッパと内袋を重ね収納し、この重ね合わせた三つを尚且つ一重仕立てに構成し、日常活用のバッグとともにカッパも内袋も常時携帯でき、必要時には瞬時にバッグ二つとカッパに早変わりさせることができる備えを持った手提げカバンを提供できる。
【発明の実施するための最良の形態】
【００１２】  以下、本発明の実施の形態を図１〜図４に基づいて説明する。
【図面の簡単な説明】
【図１】本発明の実施における正面を示す図。
【図２】この発明の実施における横面を示す図。
【図３】外バッグの内側を示す斜視図。
【図４】外バッグの横面を示す斜視図。
【図５】カッパの前面を示す斜視図。
【図６】内袋の横面を示す斜視図。
【符号の説明】
１    外バッグ
２    内袋
３    カッパ
４    横のファスナー
５    口部のファスナー
６    外バッグの持ち手
７    内袋の持ち手
８    留め具
【図１】
2007319652.tif 000003
【図２】
2007319652.tif 000004
【図３】
2007319652.tif 000005
【図４】
2007319652.tif 000006
【図５】
2007319652.tif 000007
【図６】
2007319652.tif 000008
(57)【要約】【課題】足のギブス装着時には、靴はもちろん靴下も履けないため、足の指先がむき出しのまま無防備で、冬場は指先が冷えきってしまう。また、外出等でギブスから出ている足の指先が汚れても、ギブスを濡らさずに指だけを洗うことは困難である。しかし、履いていて蒸れるようなものでは逆効果になり、怪我をした足に負担にならない軽いものが必要である。快適な装着の為には通気性があり、脱着が容易である事や、繰り返し洗濯が可能である事が大切である。【解決手段】ギブスから出た足の指先を怪我や寒さから守り、容易に脱着でき、快適に装着するため、伸縮性のある布地を使う。つま先部分と底に工夫し、軽くて柔らかいがしっかりしたソフトブーツを縫い上げる。また、怪我による精神的なフォローや見た目も考えて、好きな色や洋服に合わせられる楽しさを加味したソフトブーツにする。動きの激しい子供用には、裏に滑り止めのゴムの点々をつけて、安全性にも注意する。【選択図】図１
2007319655.tif 000002
【特許請求の範囲】
【請求項１】
ギブス固定時に、ギブスから出た足の指先を、怪我や寒さから守るため、洋服感覚で色やデザインを楽しみながら、ギブスの上に履けるソフトブーツ。
【発明の詳細な説明】
【技術分野】
【０００１】  本発明は、ギブス固定時に、ギブスから出ている足の指を守り、寒さをも防ぐためのソフトブーツに関するものである。
【背景技術】
【０００２】  従来、骨折などにより、足にギブスをはめた場合、指先がむき出しのままで、怪我防止や防寒の現実的な技術が開発されていなかった。
【発明の開示】
【発明が解決しようとする課題】
【０００３】  そのために、次のような問題点が生じていた。
靴はもちろん靴下も履けないため、指先が無防備で、特に冬場は冷えきってしまう。また、ギブスから出ている指先が外出等で汚れても、ギブスを濡らさずに指先だけを洗うことは困難である。また、履いていて蒸れるようなものでは逆効果になり、軽くて怪我をした足に負担にならないものが必要である。
本発明は、以上の問題点を解決したものである。
【課題を解決するための手段】
【０００４】  ギブス固定時に、ギブスから出た足の指先を、怪我や寒さから守り、夏季には素足を隠すため、洋服感覚で色やデザインを楽しみながら、ギブスの上に履けるソフトブーツを作る。
【発明の効果】
【０００５】  したがって、足の指先が安全で、真冬でも暖かい。通気性もあり、洗濯可能なため、清潔で快適な装着が出来る。また、紐やベルトを使用する事により、脱着が容易で安定した装着が出来る。楽しいデザインや色を洋服感覚で選び、予期せぬ怪我で滅入った気持ちを、明るいものに変えてくれる可能性があり、回りの人とのコミュニケーションを取れる楽しさも期待できる。
【発明を実施するための最良の形態】
【０００６】  以下、本発明の実施の形態について説明をする。
（イ）繰返し洗濯可能で伸縮性のある布地を選び、底部（２）、側部（１）または（６）、ベルト通し（４）、紐（５）またはベルト（７）を型紙どおりに裁断する。アップリケ（３）または（９）にする布地も選び裁断する。柔らかいがしっかりした作りにする為、硬い芯地を１枚、柔らかい芯地を２枚、靴底の大きさに裁断する。
（ロ）靴底部分は、布地＋柔らかい芯地＋硬い芯地＋柔らかい芯地＋裏布を重ね（図６）、布地にアップリケ（３）または（９）をつけ、周りをキルティングする事により、洗濯後に芯が中で偏らないように固定する。
（ハ）ブーツの側部（１）または（６）の布を縫い合わせ、靴底部分に縫い付ける。裏布は浮かせて置き、後で縫い代を隠すようにまつり縫いをする。履き口（１２）は縫代を折り返して縫う。
（二）安定した装着のため、ベルト通し（４）を３個作り、本体に縫い付ける。紐（５）またはベルト（７）を縫い、ベルト通し（４）に通す。
（ホ）保温性を増し、サイズ的にも融通が利くようにする為に、１５×１０センチメートルの柔らかいキルト芯を３つに折畳んで５×１０センチメートルの大きさに縫い、つま先部分に入れるパット（１０）を作る。
（ヘ）子供用には、靴底部分（２）にゴム製の点々を付け、滑り止め加工をする。
本発明は以上の構成よりなる。
本発明を使用する時は、先ず、本発明のつま先部分にキルト芯で出来たパットを入れ、ギブスの上に履き、紐やベルトで固定する。
【図面の簡単な説明】
【０００７】
【図１】本発明の斜視図（動物の足跡型）
【図２】本発明の正面図（動物の足跡型）
【図３】本発明の透視面
【図４】本発明の斜視図（ブーツ型）
【図５】本発明の正面図（ブーツ型）
【図６】本発明の側断面図
【符号の説明】
【０００８】（１）ブーツ側部（切込みなし）、（２）ブーツ底部、（３）アップリケ（動物の足跡型）、（４）ベルト通し、（５）紐、（６）ブーツ側部（切込みあり）、（７）ベルト、（８）マジックテープ、（９）アップリケ（ヒール型）、（１０）パット、（１１）ギブス、（１２）履き口、（１３）裏布、（１４）柔らかい芯地、（１５）厚手の芯地。
【図１】
2007319655.tif 000003
【図２】
2007319655.tif 000004
【図３】
2007319655.tif 000005
【図４】
2007319655.tif 000006
【図５】
2007319655.tif 000007
【図６】
2007319655.tif 000008
(57)【要約】【課題】狭い襟首ものばすことなく、挿入取り出しが可能な片方の肩受け部が折れ曲がる片肩受け部折れ曲がり自動復元ハンガーを提供する。【解決手段】  ボタンを押すと、片方の肩受け部が折れ曲がり、ボタンを放すと自動的に元の形に戻ることを特徴とする片肩受け部折れ曲がり自動復元ハンガー。【選択図】図１
2007319646.tif 000002
【特許請求の範囲】
【請求項１】
ボタンを押すと、片方の肩受け部が折れ曲がり、ボタンを放すと自動的に元の形に戻ることを特徴とする片肩受け部折れ曲がり自動復元ハンガー。
【発明の詳細な説明】
【技術分野】
【０００１】  本発明は、片方の肩受け部が折れ曲がり、衣服の襟首をのばすこと無く衣服内に挿入および取り出しができ、折れ曲がった肩受け部もバネの力で自動的に元の状態に戻る、片肩受け部折れ曲がり自動復元ハンガーに関するものである。
【技術背景】
【０００２】  従来、ハンガーは襟首の狭い衣服に襟首から挿入しようとするとうまく入らず、胴開口部から挿入、取り出ししていた。
なお、この問題を回避するための、両方の肩受け部が折れ曲がる機能を持つハンガーの発明が知られている。
【発明の開示】
【発明が解決しようとする課題】
【０００３】（イ）襟首の狭い衣服にハンガーを挿入、取り出ししょうとすると、襟首がのびてしまった。
（ロ）既に発明がなされている両肩受け部が折れ曲がるタイプのハンガーでは、両肩受け部の開閉を手動で行わねばならず、作業の簡便さを欠いた。またこのタイプのハンガーでは洗濯物を物干竿に吊るした状態で取り込もうとすると、洗濯物が真下に落ちるため取り込みにくかった。さらには、常にハンガーとしての形態をとる訳ではないので常に手動による形態の決定がつきまとい、面倒だった。
本発明は以上の問題点を解決しようとするものである。
【問題を解決するための手段】
【０００４】  ボタンを押すと、片方の肩受け部が折れ曲がり、ボタンを放すと自動的に元の形に戻ることを特徴とする片肩受け部折れ曲がり自動復元ハンガー。
【発明の効果】
【０００５】  本発明は、狭い襟首をのばすこと無く衣服に襟首から挿入、取り出しできる。
衣服に挿入した後、自動的にハンガーの形態を復元するので、衣服を吊るせる状態を作るのが容易となる。
また片方の肩受け部のみが折れ曲がるので、洗濯物を物干竿に吊るした状態で取り込もうとする際、折れ曲がらない方の肩受け部を滑って洗濯物が落ちるので、洗濯物を受け止めやすい。
また、自動的に元の状態に戻るので常に手間をかけること無くハンガーとして使用することができる。
【発明を実施するための最良の形態】
【０００６】  以下、本発明の実施の形態を説明する。
（イ）襟受け部（１）に断面が正方形のシリンダー孔を肩受け部（２）の設置角度に合わせて設ける。
（ロ）片方の肩受け部（２）の上端をシリンダー孔にあわせた断面が正方形の角柱に加工し、そこにストッパー（４）を、そしてその先端にヒンジ様の関節を設け、さらにその上部に同じく断面が正方形の角柱のスライド部（３）を設ける。
（ハ）シリンダー孔にスライド部（３）を通し、バネ（５）を通して先端にボタン（６）をを設ける。
（二）スライド部（３）を設けてある方の肩受け部（２）の下端にバランスをとるためのおもり（７）を設ける。これが無いと、ハンガーを吊るした時に、とび出たスライド部（３）とボタン（６）とバネ（５）の重さで傾いてしまう。
本発明は、以上の構成よりなっている。
本発明を使用するときは、ボタン（６）を押す。スライド部（３）の下部にあるヒンジ様の関節がシリンダーの外に出ると重力で肩受け部（２）が折れ曲がる。ボタン（６）を放すとヒンジ様の関節がバネ（５）の力でシリンダーの中に伸びながら収まり、元のハンガーの形に戻る。
この動きを利用して、洗濯物の襟首からボタン（６）を押して二つ折りになった状態の両肩受け部を挿入しボタン（６）を放すと洗濯物の中でハンガーは元の形状に戻る。
洗濯物を取り込む時はボタン（６）を押すと洗濯物の中で肩受け部（２）が折れ曲がり、洗濯物は曲がらない方の肩受け部を滑って落ちる。洗濯物を物干竿に吊るした状態でボタン（６）を手前にしてこの操作を行うと、洗濯物は取り込む人の方に向かって滑り落ちるので従来の両肩受け部が折れ曲がり、洗濯物が真下に落ちるタイプのハンガーより、容易に洗濯物を取り込むことができる。このようにして襟首をのばすことなく洗濯物にハンガーを挿入取り出しできる。
また、ボタン（６）を押す前の状態では、ヒンジ様の関節がシリンダーの中に収まっているためかなりの重量に耐えうる。
【図面の簡単な説明】
【０００７】
【図１】本発明の斜視図
【図２】本発明の分解斜視図
【図３】本発明の使用状態を示す斜視図
【図４】本発明の襟受け部を切り欠いた斜視図
【図５】本発明のヒンジ様関節の分解斜視図
【符号の簡単な説明】
【０００８】    １  襟受け部
２  肩受け部
３  スライド部
４  ストッパー
５  バネ
６  ボタン
７  おもり
【図１】
2007319646.tif 000003
【図２】
2007319646.tif 000004
【図３】
2007319646.tif 000005
【図４】
2007319646.tif 000006
【図５】
2007319646.tif 000007
(57)【要約】      （修正有）【課題】現在のゴーグルは、競技者の安全性を重視して使用中に水の抵抗等で変形しないようプラスチック製の強固な作りとなっていて、このことが推進方向に対して壁を作り、水の抵抗をもたらすものとなっていた。（このため顔上でゴーグルがずれてしまい、ケガ等の事故発生にも繋がっている）【解決手段】解決手段として、形状を顔面に対して鋭角にして、水の抵抗を無くすことで、安全で且つ水の抵抗を受けずに泳ぎ易くなるものである。更に、顔面に対して安全性、密着性を考えて、現在のプラスチック製のものから柔らかいゴム製（プラスチック製のゴム）の物とすることで、使用中に顔からゴーグルをずれにくくする。【選択図】図２
2007319644.tif 000002
【特許請求の範囲】
【請求項１】
水泳競技用  ＝  ゴーグル（スイミングめがね）。
水泳競技（含む練習、トレーニング時）において、装着するゴーグルとする。
【発明の詳細な説明】
【技術分野】
【０００１】  水泳用（水泳競技用）
【背景技術】
【０００２】  現在水泳界では、１００分の１の記録短縮を目的とした水着を中心とするの種々に渡る技術研究が行われています。
上記の背景から、水着の一部として現在使用されるゴーグル（水泳用めがね）においては長年より改良（改善）はされているものの大きく改善されていないのが現状である、水の抵抗を避けるために、水の抵抗の無いゴーグルを作ることで、選手の記録短縮へ貢献したい。
【発明の開示】
【発明が解決しようとする課題】
【０００３】  現在の標準的なゴーグルは、泳ぐ方向から見て水の抵抗が大きい。
【課題を解決するための手段】
【０００４】  現在の標準的なゴーグルは、泳ぐ方向から見て水の抵抗を伴う形状となっている。
このことを解決するための課題は下記の内容の通りである。
○進む方向から見て、水の抵抗の無い形のゴーグルにする。
・顔の側面から見て、水の抵抗の無いよう斜め角度の形状にする。
・装着する顔の表面に密着（上部）した形状にして、水の抵抗を無くす。
⇒手段：装着する部分を薄いゴム等にすることで、顔の皮膚との密着度を高める。
【発明の効果】
【０００５】  ゴーグルによる水の抵抗が全く無く、特に競泳では更なる記録の短縮化が図れる。
また、皮膚に密着させることで、装着していることからゴーグルがズレルこともなく安全に使える。（競技等でズレてトラブルを招くことが無くなる）
【発明を実施するための最良の形態】
【０００６】  ▲１▼密着性を図るため薄い材質により作成し、顔の皮膚との密着度を高める。
▲２▼推進方向である頭部の上部分の形状をゴム等にすることで、密着度を高める。
【実施形態の効果】
【０００７】  ・水の抵抗が無くなることから記録の短縮が図れる。
・競技実施にあたっては、安全性が高まる。
⇒顔上でズレたりして目を傷つけるようなこともない。
▲１▼水の抵抗を無くしたゴーグルにより、水泳競技を行なう選手は更なる記録短縮が図れる。
▲２▼皮膚と密着させることで、事故防止となり安全性が高まる。
【図面の簡単な説明】
【０００８】  ●水の抵抗を無くす水泳競技用ゴーグル・別紙添付資料：−  図２  −（原型）
○図１  ：  従来の形状
○図２  ：  発明の形状
⇒図面２の水の抵抗を無くす水泳競技用ゴーグルで説明。
【図１】
2007319644.tif 000003
【図２】
2007319644.tif 000004
【手続補正書】
【提出日】平成18年8月14日(2006.8.14)
【手続補正２】
【補正対象書類名】明細書
【補正対象項目名】０００８
【補正方法】変更
【補正の内容】
【０００８】
【図１】正面図
【図２】側面図
【手続補正４】
【補正対象書類名】図面
【補正対象項目名】全図
【補正方法】変更
【補正の内容】
【図１】
2007319644.tif 000005
【図２】
2007319644.tif 000006
(57)【要約】      （修正有）【課題】  衣服の襟首をのばすこと無く掛け外しができる、フック部着脱可能ハンガーを提供する。【解決手段】使用する時は、まず、フック２を選択物干竿に掛けておいて、ハンガー本体１を洗濯物の襟首から通し、クリップ３にハンガー本体１を装着して干す。襟受部、肩受部、ズボン掛け等からなるハンガー本体１に、着脱可能な機構を備えたクリップ３を設けたのでフック２がない分だけ襟首に通しやすくなった着脱可能ハンガーである。【選択図】図１
2007319645.tif 000002
【特許請求の範囲】
【請求項１】
襟受部、肩受部、ズボン掛け等からなるハンガー本体に、着脱可能な機構を備えたフック部を設けた、フック部着脱可能ハンガー。
【発明の詳細な説明】
【技術分野】
【０００１】  本発明は、ハンガーに衣服を掛け外しする際に衣服の襟部がのびないように、ハンガーのフック部がハンガー本体に着脱できる機構を設けた、フック部着脱可能ハンガーに関するものである。
【背景技術】
【０００２】  従来のハンガーは、フック部が襟受部および肩受部、さらにはズボン掛けと一体になっていた。
【発明の開示】
【発明が解決しようとする課題】
【０００３】  そのために、次のような問題があった。
（イ）襟首の小さいＴシャツ等の洗濯物を干すときにハンガーを使用すると、干したり取り込んだりする際に襟首がのびてしまった。
（ロ）洗濯以外で衣服を掛ける時にも、掛け外しの際に襟首がのびた。
本発明は以上の問題点を解決しようとするものである。
【課題を解決するための手段】
【０００４】  襟受部、肩受部、ズボン掛け等からなるハンガー本体に、着脱可能な機構を備えたフック部を設ける。以上を特徴とするフック部着脱可能ハンガーである。
【発明の効果】
【０００５】  ハンガーに衣服を掛け外しする際に生じる、襟首がのびるという問題は、そもそもハンガーの形状が三つ又であることに起因する。しかし、洗濯物が風で飛ばされないのも、この三つ又形状の成せる技である。掛け外しの際に三つ又形状は邪魔になり、洗濯物を干す際には助けになる。フック部が着脱できると、掛け外しの際にはハンガー本体のみの二又形状をとることができて、洗濯物を干す際にはフック部が加わった三つ又形状をとることができる。すなはち、フック部を取り外した状態のハンガー本体は二又形状なので、衣服の襟首をのばすことなく襟首から衣服の中に挿入することができる。その後フック部を取り付けて物干竿に吊るす際には三つ又形状なので、風で飛ばされない。洗濯物を取り込む際にはその逆である。さらには、従来のハンガーの持つ機能も、なんらそこなわない。
【発明を実施するための最良の形態】
【０００６】  以下、本発明の実施の形態を説明する。
（イ）襟受部、肩受部、ズボン掛けからなり、フック部の無いループ状のハンガー本体（１）に、着脱用のクリップ（３）を設けたフック（２）を設ける。
（ロ）フック（２）には、洗濯物干竿に掛けた時に風で外れたりしないように、ストッパー（４）を設ける。
（ハ）フック（２）とクリップ（３）との接続は回転可能で尚かつ、肩受部が左右に見える方向を正面として前後にスイングすることが可能な方式をとる。
（ニ）クリップ（３）とハンガー本体（１）との接続部は、ハンガー本体（１）の断面を正方形とし、クリップ（３）の爪がぴったりフィットするようクリップ（３）の開き幅を設定する。
本発明は、以上の構成よりなっている。
本発明を使用する時は、まずフック（２）を物干竿に掛けておく。
ハンガー本体（１）を洗濯物の襟首から通し、吊るせる状態を作る。この際、フック部が無いので容易に襟首をのばしてしまうこと無く襟首に通すことができる。
洗濯物を吊るす準備ができたところで、フック（２）のクリップ（３）にハンガー本体（１）を装着する。
クリップ（３）とハンガー本体（１）はぴったりフィットしていて、爪の受け方が引っぱり方向に対して強固な形態をなしているため、かなりの重量に耐えることができる。
たとえば、水に濡れたコートのように重い物が強風に吹かれても、容易にその重量を持ちこたえる。
本発明の最大の利点は物干し作業のほとんどを部屋の中でおこなえるという点にある。洗濯物を干すための下ごしらえを部屋の中でおこなった後、物干場に持っていって吊るすだけでよい。取り込む時も、ハンガー本体（１）ごと取り込んで、後は部屋の中で洗濯物とハンガー本体（１）の仕分けをおこなえばよい。その際にも、ハンガー本体（１）はフック部が無いので襟首をのばすこと無く取り外すことができる。日差しの厳しい夏は主婦にはお肌に紫外線が厳しいし、北風の吹きすさぶ冬は冷え性に厳しい。
本発明はこれらの主婦の屋外での作業時間を短縮できる。
【図面の簡単な説明】
【０００７】
【図１】  本発明の斜視図
【図２】  本発明の分解斜視図
【図３】  本発明のクリップと本体との接続状況を示す図
【図４】  本発明の別の実施形態を示す斜視図
【符号の説明】
【０００８】    １  ハンガー本体
２  フック
３  クリップ
４  ストッパー
５  吊り下げ型ジョイント
【図１】
2007319645.tif 000003
【図２】
2007319645.tif 000004
【図３】
2007319645.tif 000005
【図４】
2007319645.tif 000006
(57)【要約】      （修正有）【課題】競泳で記録短縮のため水の抵抗の少ないゴーグルを提供する。【解決手段】水泳用のゴーグルとキャップを一体化させた物である。これまでのキャップ付きゴーグルとかゴーグル付きのキャップではなく、一体化したヘッドスーツの形状とした水泳用水着とする。（ゴーグルもゴム製の柔らかいプラスチックの物を使用）【選択図】図２
2007319643.tif 000002
【特許請求の範囲】
【請求項１】
水泳競技用＝  ゴーグルとスイミングキャップの一体化。
・水泳競技（含む練習、トレーニング時）において、装着するゴーグルとする。
【発明の詳細な説明】
【技術分野】
【０００１】  水泳用（水泳競技用）
【背景技術】
【０００２】  現在水泳界では、１００分の１の記録短縮を目的とした水着を中心とするの種々に渡る技術研究が行われています。
上記の背景から、水着の一部として現在使用されるゴーグル（水泳用めがね）においては長年より改良（改善）はされているものの大きく改善されていないのが現状である、水の抵抗を避けるために、水の抵抗の無いゴーグルを作ることで、選手の記録短縮へ貢献したい。
【発明の開示】
【発明が解決しようとする課題】
【０００３】  現在の標準的なゴーグルは、泳ぐ方向から見て水の抵抗が大きい。
水の抵抗を無くすことが課題。
【課題を解決するための手段】
【０００４】  現在の標準的なゴーグルは、泳ぐ方向から見て水の抵抗を伴う形状となっている。このことを解決するために、課題を下記の内容の通りとする。
▲１▼推進方向（進む方向）から見て、水の抵抗の無い形のゴーグルにする。
▲２▼スイミング用キャップと一体化させて、キャップとゴーグル間に水の抵抗を無くす。
【発明の効果】
【０００５】  ゴーグルによる水の抵抗が全くなく、特に競泳では更なる記録の短縮化が図れる。
また、スイミングキャップとゴーグルを一体化させることで、装着したゴーグルが顔上でずれることもなく、安全に使える。
【発明を実施するための最良の形態】
【０００６】  ゴーグルとスイミングキャップを一体化させて、推進（進む方向：この場合顔の上部）方向の水の抵抗を無くす。
ゴーグルとスイミングキャップを一体化させることで、キャップとゴーグルの間の凹凸等を無くすことで、水の抵抗を無くする。
【実施形態の効果】
【０００７】  ・水の抵抗が無くなることから記録の短縮が図れる。
・キャップとゴーグルを一体化することで、装着のズレを無くし安全性が高まる。
⇒顔上でズレたりして目を傷つけるようなこともない。
▲１▼キャップとゴーグルを一体化することにより身体にフィットする。
▲２▼皮膚と密着させることで、水中での事故防止となり安全性が高まる。
▲３▼スイミングキャップとゴーグルを一体化させることで、下記効果が図れる。
ａ．ゴーグルとスイミングキャップを別に装着する場合とでは、その間に隙間ができ、水の抵抗が発生することとなることから、一体化させることで隙間を無くし更なる水の抵抗を無くす。
ｂ．スイミングキャップとゴーグルを一体化させることで、身体にフィットすることから競技者の激しい動きに対して安全にトラブル（この場合、ゴーグルが顔からずれたりして競技の妨げ等を言う）の防止にも繋がる。
⇒競技において、スタート時の際に水の抵抗で、顔のゴーグルがズレてしまうケースがある。
▲４▼価格の面においてもスイミングキャップとゴーグルを一体化させることで、これまでの価格と比較して安価な物が作成できる。
【図面の簡単な説明】
【０００８】  ・ゴーグルとスイミングキャップの一体化
2007319643.tif 000003
【手続補正書】
【提出日】平成18年8月14日(2006.8.14)
【手続補正２】
【補正対象書類名】明細書
【補正対象項目名】０００８
【補正方法】変更
【補正の内容】
【０００８】
【図１】正面図  水泳用ゴーグルとキャップを一体化させることで、顔からズレにくくし、水泳時ににおける事故防止を図る。
【図２】側面図  水泳用ゴーグルとキャップを一体化させることに加えて、ゴーグルの形状を推進方向に向けて鋭角な角度にすることで水の抵抗を無くす。（関連：特願２００６−１８０４０２）
【手続補正３】
【補正対象書類名】図面
【補正対象項目名】全図
【補正方法】変更
【補正の内容】
【図１】
2007319643.tif 000004
【図２】
2007319643.tif 000005
(57)【要約】【課題】    従来のこれらの健康器具には石やチタン合金を使用したものや、ゲルマニュウムを焼結したものを埋め込んだものがあった。  しかしそれらのものはそれぞれが単独で使用されておりまた金属や石がむき出しになっているのでさわり心地が良くなかった。【解決手段】  そこでこの発明は板状の石を一段低くくりぬきそのなかにその形状に合わせて抜いたチタン合金を貼りその上に粉末状のゲルマニュウムを塗布しさらにその上にウレタンなどの柔らかい樹脂を塗布したものである。【選択図】図１
2007319650.tif 000002
【特許請求の範囲】
【請求項１】
板状の石の表面を一段低くくりぬきその中にくりぬいた形状に合わせたチタン合金を貼る。その上に粉末状のゲルマニュウムを塗布しさらにその上にウレタンなどの柔らかい樹脂を塗布した健康器具。
【発明の詳細な説明】
【技術分野】
【００１】      本発明は板状の石を一段低くくりぬきそのなかにその形状に合わせて抜いたチタン合金を貼る。  その上に粉末状のゲルマニュウムを塗布しさらにその上にウレタンなどの柔らかい樹脂を塗布したものである。
【技術背景】
【００２】      従来のこれらの健康器具には石やチタン合金を使用したものや、ゲルマニュウムを焼結したものを埋め込んだものがあった。
【発明の開示】
【発明が解決しようとする課題】
【００３】      しかしそれらのものはそれぞれが単独で使用されておりまた金属や石がむき出しになっておりさわり心地が良くなかった。
【課題を解決するための手段】
【００４】      そこでこの発明は板状の石を一段低くくりぬきそのなかにその形状に合わせて抜いたチタン合金を貼りさらにその上に粉末状のゲルマニュウムを塗布しさらにその上にウレタンなどの柔らかい樹脂を塗布したものである。
【発明の効果】
【００５】      板状の石を一段低くくりぬきそのなかにその形状に合わせて抜いたチタン合金を貼りその上に粉末状のゲルマニュウムを塗布しさらにその上にウレタンなどの柔らかい樹脂を塗布することにより石、チタンとゲルマニュウムの相乗効果だけでなくさわり心地に違和感がなく長時間の使用が快適なものになっている。
【発明を実施するための最良の形態】
【００６】      以下、本発明の実施の形態について説明する。
１．板状の石をくりぬく。
２．くりぬいた形状に合わせてチタン合金を加工する。
３．そのチタン合金をくりぬいた石に貼り付ける。
４．その上にゲルマニュウムを塗布する。
５．さらにその上にウレタンなどの柔らかい樹脂を塗布する。
【図面の簡単な説明】
【図１】      完成図
【図２】      バラバラにした説明図
【符号の説明】
１．板状の石
２．チタン合金
３．ゲルマニュウムを塗布
４．ウレタンなどの柔らかい樹脂
【図１】
2007319650.tif 000003
【図２】
2007319650.tif 000004
(57)【要約】      （修正有）【課題】便が出にくい、硬い、出血しやすい、痛い、力まないとでない人等の苦痛を解消する便座を提供する。【解決手段】便座後部の排便部穴径を６ｃｍとし、排便部の穴部の周囲をその他の部分よりも高くし、肛門を押し上げることにより、スムーズに排便できる形状にした。【選択図】図３
2007319629.tif 000002
【特許請求の範囲】
【請求項１】
便座の穴を６ｃｍとし、回りを滑らかに３ｃｍ高くすると体重で押し上げる状態になり、排便しやすくなる。
【発明の詳細な説明】
【技術分野】
【０００１】排便を促す便座
【背景技術】
【０００２】従来の便座の後部を同じ型で、６ｃｍの穴を開けて作り、はめて排便する。【０００３】従来の便座にはめるには、滑らないように、従来の便座を包みこむように肛門の中心６ｃｍの穴の回りを、なめらかに、１ｃｍ盛り上げる。【０００４】肛門を体重で、押し上げる型ちになるので、便が自然に出やすくする。【０００５】排尿時には従来の便座の前半部分を、半分以上切った型にしたので排尿も、しやすい。【０００６】洗浄時には、はずす。
【非特許文献１】丁ｏ丁ｏトイレ便座
【発明の開示】
【発明が解決しようとする課題】
【０００７】排便時、苦痛出にくい。
【課題を解決するための手段】
【０００８】従来の便座をりよう
【発明の効果】
【０００９】苦痛の軽減
【発明を実施するための最良の形態】
【０００１０】従来の便座にはめるだけ。
【実施例】
【０００１１】毎日従来の便座を利用。
【産業上の利用可能性】
【０００１２】多いに有り
【図面の簡単な説明】
【０００１３】
【図１】平面図
【図２】前断面図
【図３】横断面図
【図４】従来の便座に排便を促す便座を、はめたときの状態。
【図１】
2007319629.tif 000003
【図２】
2007319629.tif 000004
【図３】
2007319629.tif 000005
【図４】
2007319629.tif 000006